(57)【要約】【課題】  特に自動車等の車載用用途の空調装置において、操作パネル面上の情報表示が可能な  面積を広げ、表示スペース不足の問題を解消し、これによって操作パネルのデザイン  の自由度も向上させる手段を提供する。【解決手段】  空調装置の空気吹き出し口に備える空気の流れを妨げない角度と、表示内容の視認に  適した角度の間を動かすことが可能な風向調整手段１に、電気的に文字、絵文字、  記号、レベル、もしくは画像等の情報を表示可能な表示手段２を備えた。【選択図】  図１
2006182072.tif 000002
【特許請求の範囲】
【請求項１】
空調装置の空気吹き出し口に、電気的に文字、絵文字、記号、レベル、もしくは
画像等の何らかの情報を表示可能な表示手段２（例えば液晶、発光ダイオード、
エレクトロルミネッセンス等を用いたもの）を備え、この表示手段２に、空気
吹き出し口から出る空気の流れを妨げない位置もしくは角度と、表示手段２の表示
内容の視認に適した位置もしくは角度の間を動かすことが可能な可動手段を備えた
ことを特徴とした空調装置用表示装置。
【請求項２】
前記表示手段２に備える可動手段として、空調装置の空気吹き出し口に備えるルー
バー状の風向調整手段１の構造を備え、この外部から視認可能な部位、もしくは
視認可能な位置に調整可能な部位に表示手段２を備えたことを特徴とした請求項１
記載の空調装置用表示装置。
【請求項３】
風向調整手段１もしくは表示手段２の角度もしくは位置を検出するためのスイッチ、
センサ等による位置検出手段７を備え、この検知出力を用いて特定の角度もしくは
位置を検知した場合に、表示手段２に情報の表示を行うことを特徴とする請求項１
記載の空調装置用表示装置。
【発明の詳細な説明】
【技術分野】
【０００１】
本発明は、空調装置の空気吹き出し口に備えて情報を表示する空調装置用表示
装置に関するものである。
【背景技術】
【０００２】
従来、空調装置に備わる空気吹き出し口と情報表示手段は空調機器もしくは操作
パネルの表面にこれらに必用な面積を各々別々に占有して備えていた。
【発明の開示】
【発明が解決しようとする課題】
【０００３】
しかしながら、特に自動車等の車載用用途の空調装置において、自動車室内の
情報化が進む中、ナビゲーション等の大型表示装置とその操作スイッチ類が
小さなコンソール上のスペースを埋めるようになり、その一方で、表示が望まれる
情報は、交通情報、文字放送、電子メール、デジタル化された大量の音楽データの
情報等など更に増えつつある。この様な状況の中、従来容易に確保できた空気
吹き出し口のスペースの確保が近年困難になりつつある。情報表示面積を確保する
ために、空調装置の空気吹き出し口を小さくすると、空調能力が劣化してしまう
問題があった。既に運転席の周囲に表示手段を備えるスペースがほとんど残って
いないため、助手席側に備える方法もあるが、これでは運転者から遠く、視認が
困難になってしまう。
【０００４】
この様な状況の中にあって、本発明は、従来、送風と風向調整の機能にだけしか
使われていなかった空調装置の空気吹き出し口の面積を用いて、この部分に情報
表示機能を備えることによって表示スペース不足の問題を解消し、また、意匠
デザインの自由度を向上させる手段を提供するものである。
【課題を解決するための手段】
【０００５】
本発明は上記目的を達成するために空調装置の空気吹き出し口に備える角度位置
が調整可能なルーバー状の風向調整手段１の外部から視認可能な部位、もしくは
視認可能な位置に調整可能な部位に絵文字、記号、レベル、もしくは画像等の
情報を表示可能な表示手段２を備えたものである。
【０００６】
風向調整手段１の平面部に表示手段２を備えた場合は、これを備えた風向調整
手段１を全閉位置に調整することで表示内容が視認可能となる。つまり、この
場合は、通風状態と表示状態のいずれかを選択、切り替えることで送風と情報
表示の機能を両立している。
【０００７】
風向調整手段１の縁部に表示手段２を備えた場合は、表示面積と表示情報は
前述の方法よりも制限されるが、送風可能な状態のまま表示内容が視認可能と
なる。
【発明の効果】
【０００８】
特に自動車用空調装置において、従来表示機能として使えなかった空気吹き出し
口の面積を情報表示部位として使えるため、時計、空調装置の設定温度、交通情報、
文字放送、ギアシフトポジション、バッテリー電圧レベル等の車両状態の補助的情報
等などの情報を運転者に近く、見易い位置に表示することが可能となる。
【０００９】
また、従来これらの情報表示を担っていた表示装置、補助計器の表示機能を本
発明に移すことによって、操作面の面積に余裕が生まれ、デザイン自由度を
向上することが可能となる。
【発明を実施するための最良の形態】
【００１０】
以下、本発明の実施の形態を図1〜図６に基づいて説明する。
【実施例１】
【００１１】
図１および図２に本発明の実施例１の断面図、図３および図４に実施例１を正面
から見た外観図を示す。これは自動車用空調装置の空気吹き出し口の部分を側面
から断面を見たものである。風向調整手段１として板状のルーバーを並べて備え
ている。この図では表示手段２を表面に備えた風向調整手段１を４枚備えている。
この風向調整手段１は各々両端にヒンジを備えており、水平角度を調整すること
によって、送風方向を変えることを可能としている。図１、図２および図４は
通風状態を示しており、風向調整手段１は隙間が開く角度に調整しているため
通風開口部４から外部に風が流れる。一方図３は各風向調整手段１間の隙間が
閉じる角度に調整しており、表示手段１の面が正面方向を向いた表示内容の
視認に適した状態となっている。この状態の時には送風開口部４が塞がれるため
この吹き出し口からの送風は止められる。尚、自動車においては表示を視認
するために最適な角度は概ね表示面が垂直に立った状態であるため、風向調整
手段１をこの様な閉塞状態とする調整位置が視認最適位置となるかどうかは、
吹き出し口が備わる向きによって異なる。
【００１２】
本発明において用いる表示手段２には小型、薄型のものが取り扱いやすい。
例えば液晶表示パネル、エレクトロルミネッセンスディスプレイ等の薄型表示
装置や、発光ダイオード、ドットマトリクス発光ダイオード等である。厚みが
大きいものの場合は、送風開口部４の面積が狭くなる上、整流が困難な断面
形状となってしまうため、本用途には向かない。
【００１３】
また、表示手段２の表示能力は表示させる情報内容に応じて最適なものを選ぶ。
これによって、コストを抑えることが出来る。例えば文字、絵文字（アイコン）、
記号等を表示する場合、固定された内容の表示、非表示を行うだけで良い場合は、
従来の警告灯等と同様の印刷もしくはエッチング等により描いた光透過性の表示板の
裏側から光を照らす行燈構造で充分であり、光源に薄型のものを用いればよい。
文字についても表示が数字に限られる場合は７セグメント方式の表示手段を用いる
ことが最適である。毎回異なる情報を表示したい場合や文字等をスクロールする等
したい場合、あるいは画像、動画を表示したいという場合には多数の画素で構成
された表示装置を選択する。
【００１４】
実施例１では風向調整手段１に表示手段２を内蔵する構造としている。表示面は
平面部に向けて備え、表面を光透過性の部材で覆っている。配線２との接続は
配線３にフィルム基板を用い、接続手段５にゼブラゴム接点を用いて圧接するか、
もしくはハンダ付けして接続することで多数の配線を柔軟に外部に取り出すこと
が出来る。配線３は送風を妨げないため、風向調整手段１の端から取り出す。（図４
参照）これにより配線３の引き出し部分だけ接触手段５等の構造体により厚くなって
も送風性能への影響は出ない。また、配線３空気整流が可能な形状の配線ガイド６の
内部に通すことで風による配線の暴れを防ぎ、傷や断線から保護する。配線３には
フィルム基板等の柔軟なものを用いることによって風向調整手段１の調整操作による
動きを阻害しない。また、各風向調整手段１の可動角度幅は１８０度以下で充分機能
を果たすため、配線３はこの動きを阻害しない。
【００１５】
本発明では、表示手段２がその表示内容を視認するために最適な角度に調整
された場合に表示手段２に情報を表示する。この目的は、視認が困難な角度
位置にて表示された内容を無理な姿勢で見ることは自動車においては危険で
あるため、こうした状況を避けることと、表示内容が窓等に映り込んで視界の
邪魔にならないようにするためである。この機能を実現するため、実施例１
では風向調整手段１が表示に最適な角度に調整された時に作動する位置に検出
スイッチを位置検出手段７として備えている。（図１参照）この検出出力を
用いて、検出状態を検知した時にのみ表示手段２への情報表示を行う制御に
よって前述の機能を実現している。
【実施例２】
【００１６】
長い文字列をスクロールせずに表示したい場合には、実施例１では充分な表示
範囲を確保できない場合が考えられる。特に自動車用空調装置においては寸法
の制限が大きい。そこで、自動車用途において、表示手段２においてなるべく
横に長い寸法を確保するための実施例を図５の実施例２に示す。図５は図３と
同様に空調装置吹き出し口の正面から見た外観図であるが、この実施例は、
自動車において運転席側と助手席側の中間位置に備える吹き出し口を想定して
いる。
【００１７】
上部の風向調整手段１を左右に分けており、夫々、助手席側用の風向調整機能
と運転席側の風向調整機能としている。そして最下部の風向調整手段１のみ
左右に分割せず１枚の横長のものとしており、これに表示手段２を備えること
によって、表示範囲の幅寸法を確保している。図５では左側の風向調整手段１
が開いており、右側と最下部の一枚は閉じているが、これは別々に角度が調整
出来ることを示している。表示手段２を備えた最下部の風向調整手段１は、
上段に備える運転席側の風向調整手段１と連動させるか、もしくは上段左右に
備える風向調整手段１と独立して角度調整が可能な構造とすることによって、
利便性が保たれる。
【００１８】
この実施例２で示すように、本発明では必ずしも全ての風向調整手段１に表示
手段２を備える必用はない。目的とする情報を表示するために必用な表示面積
が得られるだけの範囲で表示手段２を備えればよい。
【実施例３】
【００１９】
実施例１と実施例２では風向調整手段１の平面部に表示手段２を備えていたが、
実施例３として風向調整手段１の縁部に表示手段２を備えた例を図６に示す。
風向調整手段１の縁部は面積が小さいため、情報表示面積と表示情報は先の実施例
と比べると、表示が可能な情報量が制限されるが、風向調整手段１が通風開口部４
が開いた送風可能な角度位置のまま表示手段２の表示内容を視認可能とすることが
出来る。
【００２０】
図６に示す実施例３では、左右の風向を調整するために備える縦方向の風向調整
手段１と、上下の風向を調整するために備える横方向の風向調整手段１の両方の
前縁部に部分的に発光部を備えることによって７セグメント式の数字表示が可能な
表示手段２を構成している。また、縦方向の風向調整手段１を少し右に傾けて
備えることによって数字表示を読みやすくしている。この構造の場合、風向調整
手段１の角度可動軸は、調整操作時に表示される数字の形を崩さないために、
なるべく表示面に近い前縁部の両端に備えることが必用である。
【００２１】
表示手段２を構成する発光部には発光手段としてチップ型発光ダイオードを用いる
ことで容易に薄型に作ることが出来る。この光を光拡散剤入り成形樹脂等を用いた
導発光部品で発光面積を必要な形状に広げて表示することが出来る。
【００２２】
表示可能な数字の桁数が少ないが、例えば空調装置の設定温度、ギアシフト
ポジション、時計など、少ない桁数の数字で間に合う情報に用いることで充分
本発明を活かすことが可能である。
【図面の簡単な説明】
【００２３】
【図１】本発明の実施例１を示す断面図
【図２】同実施例１を示す図１の部分断面図
【図３】同実施例１を正面から見た表示状態を示す外観図
【図４】同実施例１を正面から見た通風状態を示す外観図
【図５】本発明の実施例２を正面から見た表示状態を示す外観図
【図６】本発明の実施例３を正面から見た表示状態を示す外観図
【符号の説明】
【００２４】
１．風向調整手段
２．表示手段
３．配線
４．通風開口部
５．接続手段
６．配線ガイド
７．位置検出手段
８．空気の流れ（風）
【図１】
2006182072.tif 000003
【図２】
2006182072.tif 000004
【図３】
2006182072.tif 000005
【図４】
2006182072.tif 000006
【図５】
2006182072.tif 000007
【図６】
2006182072.tif 000008